(57)【要約】      （修正有）【課題】インラインファイル及び非インラインファイルが添付されている場合に、非インラインファイルが添付されていることを容易に識別できるメール表示装置を提供する。【解決手段】メール本文データ２２ａ及び２以上の添付ファイル２２ｂからなる電子メール２を記憶する電子メール記憶手段１５０と、添付ファイル２２ｂが、メール本文データ２２ａの表示時にメール本文中に挿入される画像データからなるインラインファイルであるか否かを判別するインラインファイル判別手段１０１と、インラインファイルの判別結果に基づいて、２以上の添付ファイル２２ｂの表示順序を決定する表示順序決定手段１０２と、表示順序に基づいて、２以上の添付ファイル２２ｂの識別情報を表示する添付情報表示手段１０５により構成される。２以上の添付ファイル２２ｂの識別情報を表示する場合には、非インラインファイルがインラインファイルよりも優先して表示される。【選択図】図６
2015045907.tif 000002
【特許請求の範囲】
【請求項１】
メール本文データ及び２以上の添付ファイルからなる電子メールを記憶する電子メール記憶手段と、
上記添付ファイルが、上記メール本文データの表示時にメール本文中に挿入される画像データからなるインラインファイルであるか否かを判別するインラインファイル判別手段と、
上記インラインファイル判別手段の判別結果に基づいて、２以上の上記添付ファイルの表示順序を決定する表示順序決定手段と、
上記表示順序に基づいて、２以上の上記添付ファイルの識別情報を表示する添付情報表示手段とを備え、
２以上の添付ファイルの識別情報を表示する場合に、非インラインファイルがインラインファイルよりも優先して表示されることを特徴とするメール表示装置。
【請求項２】
上記表示順序決定手段は、全ての非インラインファイルが、いずれのインラインファイルよりも優先して表示されるように、上記添付ファイルの表示順序を決定することを特徴とする請求項１に記載のメール表示装置。
【請求項３】
上記インラインファイル判別手段は、上記添付ファイルのヘッダ情報に基づいて、当該添付ファイルがインラインファイルであるか否かを判別することを特徴とする請求項１又は２に記載のメール表示装置。
【請求項４】
本文表示エリア及び添付情報表示エリアを含む表示画面を有する表示装置と、
上記メール本文中に上記インラインファイルの画像データを挿入し、上記本文表示エリアに表示するメール本文表示手段とを備え、
上記添付情報表示手段は、上記添付ファイルの識別情報を上記添付情報表示エリアに表示することを特徴とする請求項１〜３のいずれかに記載のメール表示装置。
【発明の詳細な説明】
【技術分野】
【０００１】
本発明は、メール表示装置に係り、さらに詳しくは、電子メールを構成する２以上の添付ファイルの識別情報を表示するメール表示装置の改良に関する。
【背景技術】
【０００２】
携帯電話機には、受信した電子メールのメール本文データや添付ファイルを表示する機能が搭載されている（例えば、特許文献１及び２）。通常、電子メールは、送信元情報、宛先情報、件名情報などからなるメールヘッダーと、エンティティと呼ばれる１又は２以上の実体パートからなるメッセージ本体により構成される。エンティティには、メール本文データや各種のデータ形式からなる添付ファイルがある。添付ファイルには、メール本文データを表示する際にメール本文中に挿入される画像データからなるインラインファイルと、メール本文とは別個に表示される非インラインファイルとがある。
【０００３】
１つの電子メールを閲覧対象に指定した場合、閲覧画面には、ヘッダー情報表示エリア、添付情報表示エリア及び本文表示エリアが形成され、メールヘッダー内の情報はヘッダー情報表示エリアに表示され、添付ファイルの識別情報は添付情報表示エリアに表示され、メール本文データは本文表示エリアに表示される。インラインファイル及び非インラインファイルがメール本文データに添付されている場合、添付情報表示エリアには、これらの添付ファイルの識別情報、例えば、添付ファイル名が表示される。
【先行技術文献】
【特許文献】
【０００４】
【特許文献１】特開２０１０−１８６２２５号公報
【特許文献２】特開平１０−２１００７１号公報
【発明の概要】
【発明が解決しようとする課題】
【０００５】
従来のメール表示装置では、閲覧画面の添付情報表示エリア内に同時に表示することができる文字の数が限られている。このため、複数の添付ファイルがメール本文データに添付されている場合に、一部の添付ファイルについて、識別情報が添付情報表示エリア内に表示しきれず、当該添付ファイルの存在に気付き難いという問題があった。
【０００６】
一般に、複数の添付ファイルについて、その識別情報を添付情報表示エリアに表示する場合、電子メールの作成者が添付ファイルとして指定した順序を表示順序として表示される。例えば、複数の添付ファイルをインラインファイルに指定してメール本文を作成した後に、カメラ撮影によって得られた画像データからなる添付ファイルを非インラインファイルに指定して電子メールを完成させた場合、非インラインファイルの表示順序は、インラインファイルよりも後になる。このため、非インラインファイルの識別情報が添付情報表示エリア内に表示されず、非インラインファイルが添付されていることに気付き難かった。
【０００７】
本発明は、上記事情に鑑みてなされたものであり、非インラインファイルが添付されていることに気付き易くすることができるメール表示装置を提供することを目的とする。特に、インラインファイル及び非インラインファイルがメール本文データに添付されている場合に、非インラインファイルが添付されていることを容易に識別することができるメール表示装置を提供することを目的とする。
【課題を解決するための手段】
【０００８】
本発明によるメール表示装置は、メール本文データ及び２以上の添付ファイルからなる電子メールを記憶する電子メール記憶手段と、上記添付ファイルが、上記メール本文データの表示時にメール本文中に挿入される画像データからなるインラインファイルであるか否かを判別するインラインファイル判別手段と、上記インラインファイル判別手段の判別結果に基づいて、２以上の上記添付ファイルの表示順序を決定する表示順序決定手段と、上記表示順序に基づいて、２以上の上記添付ファイルの識別情報を表示する添付情報表示手段とを備え、２以上の添付ファイルの識別情報を表示する場合に、非インラインファイルがインラインファイルよりも優先して表示されるように構成される。
【０００９】
この様な構成によれば、２以上の添付ファイルの識別情報を表示する場合に、非インラインファイルがインラインファイルよりも優先して表示されるので、インラインファイル又は非インラインファイルのいずれか一方の識別情報が表示しきれない場合には、非インラインファイルの識別情報を表示させることができる。従って、インラインファイル及び非インラインファイルがメール本文データに添付されている場合に、非インラインファイルが添付されていることを容易に識別することができる。
【発明の効果】
【００１０】
本発明によれば、非インラインファイルが添付されていることに気付き易くしたメール表示装置を提供することができる。特に、本発明によるメール表示装置では、インラインファイル及び非インラインファイルがメール本文データに添付されている場合に、非インラインファイルが添付されていることを容易に識別することができる。
【図面の簡単な説明】
【００１１】
【図１】本発明の実施の形態によるメール表示装置１の一構成例を示した斜視図である。
【図２】図１のメール表示装置１内の機能構成の一例を示したブロック図である。
【図３】図２のメール表示装置１において保持される電子メール２の構成例を模式的に示した説明図である。
【図４】図３の電子メール２のメールヘッダー２１の構成例を示した図である。
【図５】図３の電子メール２のメッセージ本体２２における添付ファイル２２ｂの構成例を示した図である。
【図６】図２の主制御部１００の構成例を示したブロック図である。
【図７】図２のメール表示装置１における受信メールの閲覧時の動作の一例を従来例と比較して示した図であり、全添付ファイル名が表示されている場合が示されている。
【図８】図２のメール表示装置１における受信メールの閲覧時の動作の一例を従来例と比較して示した図であり、表示しきれない添付ファイル名がある場合が示されている。
【図９】図２のメール表示装置１におけるメール閲覧時の動作の一例を示したフローチャートである。
【発明を実施するための形態】
【００１２】
＜メール表示装置１＞
図１は、本発明の実施の形態によるメール表示装置１の一構成例を示した斜視図である。このメール表示装置１は、電子メールを作成して送信し、受信した電子メールを表示するメール機能を備えた携帯通信端末である。例えば、メール表示装置１は、移動体電話網に接続可能な携帯電話機であり、薄型筐体１０、受話用のスピーカ１１、タッチパネル１２、送話用のマイクロホン１３及び操作キー１４ａ〜１４ｃを備えて構成される。
【００１３】
薄型筐体１０は、薄型の直方体形状からなり、一方の主面が前面であり、他方の主面が背面である。この薄型筐体１０は、上下方向を長手方向とする縦長形状からなり、スピーカ１１、タッチパネル１２、マイクロホン１３及び操作キー１４ａ〜１４ｃは、薄型筐体１０の前面に配置されている。ここでいう上下方向は、手で握った状態で薄型筐体１０を保持する端末操作者から見た場合を基準としている。
【００１４】
スピーカ１１は、薄型筐体１０の長手方向における一方の端部、すなわち、上端部に配置され、マイクロホン１３及び操作キー１４ａ〜１４ｃは、他方の端部、すなわち、下端部に配置されている。
【００１５】
タッチパネル１２は、文字や画像からなる各種情報を表示する表示画面を有し、表示画面に対するタッチ操作を検出する。表示画面は、上下方向を長手方向とする矩形形状からなる。スピーカ１１は、受話音を出力するための音声出力装置である。マイクロホン１３は、送話音を入力するための音声入力装置である。
【００１６】
操作キー１４ａ〜１４ｃは、いずれも押下型の接点式スイッチからなり、各種機能が割り当てられる。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００１７】
このメール表示装置１では、受信した電子メールのメール本文データや添付ファイルをタッチパネル１２の表示画面上に表示し、メール本文や添付ファイルの内容を閲覧することができる。例えば、リスト表示モードでは、２以上の受信メールのヘッダー情報からなる受信メールリストが表示され、詳細表示モードでは、ユーザが受信メールリスト上で閲覧対象に指定した１つの受信メールのメール本文データがヘッダー情報と共に表示される。
【００１８】
受信メールリストには、送信者名、受信日時、件名がヘッダー情報として受信メールごとに表示される。詳細表示モードでは、送信者名、受信日時、件名に加え、添付ファイルの識別情報、例えば、ファイル名がヘッダー情報として表示される。
【００１９】
図２は、図１のメール表示装置１内の機能構成の一例を示したブロック図である。このメール表示装置１は、主制御部１００、セルラー通信部１１０、操作部１２０、表示制御部１３０、音声処理部１４０及びメモリ１５０により構成される。
【００２０】
主制御部１００は、通話制御などの主要な制御を行う。セルラー通信部１１０は、移動体電話網に接続し、セルラー基地局を介して相手先端末と通信する無線通信部である。操作部１２０は、ユーザ操作に応じた操作信号を生成し、主制御部１００へ出力する。
【００２１】
表示制御部１３０は、タッチパネル１２の表示制御を行う。音声処理部１４０は、マイクロホン１３により集音された音声信号を増幅し、デジタルデータに変換して主制御部１００へ出力する一方、主制御部１００から出力された音声データをアナログ信号に変換して駆動信号を生成し、スピーカ１１へ出力する。
【００２２】
主制御部１００は、操作部１２０からの操作信号に基づいて、メール作成用の編集画面を表示し、送信メールを生成する処理を行う。また、主制御部１００は、ユーザが指定した宛先へ移動体電話網を介して送信メールを送信する処理を行う。さらに、主制御部１００は、移動体電話網を介して電子メールを受信し、受信メールを閲覧画面上に表示する処理を行う。メモリ１５０には、主制御部１００が上述した処理を実行するためのメールアプリケーションプログラムや送信メール、受信メールが保持される。
【００２３】
＜電子メール２＞
図３は、図２のメール表示装置１において保持される電子メール２の構成例を模式的に示した説明図である。この電子メール２は、メールヘッダー２１、メッセージ本体２２、境界コード２３及び終端コード２４により構成され、ＭＩＭＥ（Multipurpose Internet Mail Extension：多目的インターネットメール拡張）と呼ばれる規格に基づくメールフォーマットの一例である。メッセージ本体２２は、メール本文データ２２ａと、２以上の添付ファイル２２ｂにより構成される。
【００２４】
メールヘッダー２１は、電子メール２の先頭に配置される一方、終端コード２４は、電子メール２の末尾に配置されている。また、電子メール２は、メールヘッダー２１内の先頭行から順に、１又は２以上の行ごとに処理される。メールヘッダー２１には、送信元情報、宛先情報、件名情報、送信又は受信した日時を示す日時情報などからなる。
【００２５】
境界コード２３は、メールヘッダー２１やエンティティの区切りを示す識別情報であり、メールヘッダー２１とメッセージ本体２２との間、メール本文データ２２ａと添付ファイル２２ｂとの間、添付ファイル２２ｂ間に配置されている。境界コード２３は、メールヘッダー２１において指定された文字列からなる。
【００２６】
メール本文データ２２ａは、メール本文を構成する文字列からなる。添付ファイル２２ｂには、メール本文データ２２ａを表示する際にメール本文中に挿入される画像データからなるインラインファイルと、メール本文とは別個に表示される非インラインファイルとがある。この例では、メール本文データ２２ａを「エンティティ１」と表し、添付ファイル２２ｂを「エンティティ２」〜「エンティティＮ」（Ｎは、３以上の整数）と表している。
【００２７】
終端コード２４は、メッセージ本体２２の末尾を示す識別情報であり、予め定められた文字列からなる。例えば、終端コード２４には、ダッシュ記号「−」を２つ並べた「−−」が用いられる。
【００２８】
図４は、図３の電子メール２のメールヘッダー２１の構成例を示した図である。このメールヘッダー２１は、送信元情報、宛先情報、件名情報、日時情報、メッセージＩＤ、ＭＩＭＥバージョン、コンテンツタイプ、境界コード情報などのパラメータからなり、対応するフィールド内にそれぞれ配置されている。フィールドは、パラメータを記述するために予め定められた領域である。
【００２９】
送信元情報は、電子メール２の送信元を示すメールアドレスや送信者名からなり、Ｆｒｏｍフィールドに配置されている。送信者名は、ユーザ名がメールアドレスに関連づけて登録されている場合に、自動的に付加される。宛先情報は、電子メール２の送信先を示すメールアドレスからなり、Ｔｏフィールドに配置されている。
【００３０】
件名情報、日時情報、メッセージＩＤ及びＭＩＭＥバージョンは、それぞれＳｕｂｊｅｃｔフィールド、Ｄａｔｅフィールド、Ｍｅｓｓａｇｅ−ＩＤフィールド及びＭＩＭＥ−Ｖｅｒｓｉｏｎフィールドに配置されている。
【００３１】
コンテンツタイプは、メッセージ本体２２のデータ形式を示す識別情報からなり、Ｃｏｎｔｅｎｔ−Ｔｙｐｅフィールドに配置されている。この例では、メッセージ本体２２が２以上のエンティティからなることを示すマルチパート形式がメディアタイプとして指定され、エンティティ内において指定された条件でエンティティを個別に表示することがサブタイプにより指定されている。
【００３２】
境界コード情報は、境界コード２３を示す文字列からなり、ｂｏｕｎｄａｒｙフィールドに配置されている。この例では、ダッシュ記号「−」を２つ並べた「−−」と、英字「ｋｙｏｋａｉ」とを組み合わせた文字列が用いられている。境界コード２３は、メッセージ本体２２内に一致する文字列が存在しない文字列として、自動的に生成される。
【００３３】
＜添付ファイル２２ｂ＞
図５は、図３の電子メール２のメッセージ本体２２における添付ファイル２２ｂの構成例を示した図である。図中の（ａ）には、非インラインファイルの場合が示され、（ｂ）には、インラインファイルの場合が示されている。添付ファイル２２ｂは、エンティティヘッダー２２１、エンティティ本体２２２及び空白行２２３からなり、エンティティヘッダー２２１とエンティティ本体２２２との間に空白行２２３が配置されている。
【００３４】
エンティティヘッダー２２１は、コンテンツタイプ、コンテンツ符号化種別、コンテンツ属性、ファイル名などのパラメータからなり、対応するフィールド内にそれぞれ配置されている。コンテンツタイプは、エンティティのデータ種別を示す識別情報からなり、Ｃｏｎｔｅｎｔ−Ｔｙｐｅフィールドに配置されている。
【００３５】
例えば、コンテンツタイプには、エンティティが文字コードからなることを示す文字列「ｔｅｘｔ」と、画像データからなることを示す文字列「ｉｍａｇｅ」とがある。この様なコンテンツタイプのいずれかがメディアタイプとして指定され、画像データの圧縮形式などがサブタイプにより指定されている。
【００３６】
コンテンツ符号化種別は、エンティティの符号化種別を示す識別情報からなり、Ｃｏｎｔｅｎｔ−Ｔｒａｎｓｆｅｒ−Ｅｎｃｏｄｉｎｇフィールドに配置されている。コンテンツ属性は、エンティティの属性を示す属性コードからなり、Ｃｏｎｔｅｎｔ−Ｄｉｓｐｏｓｉｔｉｏｎフィールドに配置されている。
【００３７】
このコンテンツ属性には、エンティティがインラインファイルであることを示す文字列「ｉｎｌｉｎｅ」と、非インラインファイルであることを示す文字列「ａｔｔａｃｈｍｅｎｔ」とがある。ファイル名は、メール作成者が指定したエンティティの識別情報からなり、ｆｉｌｅｎａｍｅフィールドに配置されている。エンティティ本体２２２は、コンテンツ符号化種別において指定された符号化方式による変換後のデータファイルが配置される。
【００３８】
非インラインファイルの場合、コンテンツ属性には、ａｔｔａｃｈｍｅｎｔが指定され、ファイル名には、例えば、文字列「ｓｈａｓｉｎ．ｊｐｇ」が指定される。一方、インラインファイルの場合、コンテンツ属性には、ｉｎｌｉｎｅが指定され、ファイル名には、例えば、文字列「ｈａｒｅ．ｇｉｆ」が指定される。
【００３９】
添付ファイル２２ｂがインラインファイルであるのか、或いは、非インラインファイルであるのかは、コンテンツ属性として指定されているパラメータに基づいて判別される。なお、メール本文データ２２ａも、添付ファイル２２ｂと同様の構成からなる。
【００４０】
＜主制御部１００＞
図６は、図２の主制御部１００の構成例を示したブロック図である。この主制御部１００は、インラインファイル判別部１０１、表示順序決定部１０２、添付ファイルリスト記憶部１０３、メール閲覧制御部１０４、添付情報表示部１０５及びメール本文表示部１０６により構成される。メモリ１５０には、２以上の電子メール２が保持されている。
【００４１】
インラインファイル判別部１０１は、添付ファイル２２ｂのヘッダ情報に基づいて、当該添付ファイルがインラインファイルであるか否かを判別し、その判別結果を表示順序決定部１０２へ出力する。具体的には、添付ファイル２２ｂのエンティティヘッダー２２１において、コンテンツ属性として指定されているパラメータを予め定められた属性コードと照合することにより、添付ファイル２２ｂがインラインファイルであるか否かが判別される。
【００４２】
表示順序決定部１０２は、インラインファイル判別部１０１の判別結果に基づいて、２以上の添付ファイル２２ｂの表示順序を決定し、添付ファイル２２ｂの識別情報が表示順序に従って配置された添付ファイルリストを生成する。具体的には、全ての非インラインファイルが、いずれのインラインファイルよりも優先して表示されるように、添付ファイル２２ｂの表示順序が決定される。
【００４３】
非インラインファイルがインラインファイルよりも優先して表示されるとは、インラインファイル及び非インラインファイルがいずれも添付ファイル２２ｂとしてメール本文データ２２ａに付加されており、インラインファイル又は非インラインファイルのいずれか一方の識別情報だけが後述する添付情報表示エリア内に表示しきれない場合に、少なくとも非インラインファイルの識別情報を表示させるという意味である。
【００４４】
例えば、まず、メール本文データ２２ａに付加された添付ファイル２２ｂからインラインファイルを抽出して、インラインファイルの識別情報からなるインラインファイルリストを生成する。また、添付ファイル２２ｂから非インラインファイルを抽出して、非インラインファイルの識別情報からなる非インラインファイルリストを生成する。
【００４５】
そして、非インラインファイルリストの末尾にインラインファイルリストを連結して添付ファイルリストを形成することにより、全ての非インラインファイルは、いずれのインラインファイルよりも優先して表示される。添付ファイルリスト記憶部１０３には、表示順序決定部１０２により生成された添付ファイルリストが保持される。
【００４６】
メール閲覧制御部１０４は、ユーザ操作に基づいて、電子メール２を閲覧するための閲覧画面を生成し、表示制御部１３０へ出力する。閲覧画面には、２以上の電子メール２のヘッダー情報からなるメールリストが表示され、或いは、ユーザがメールリスト上で閲覧対象に指定した１つの電子メール２のメール本文データ２２ａがヘッダー情報と共に表示される。例えば、閲覧画面は、ヘッダー情報表示エリア及び本文表示エリアからなり、ヘッダー情報表示エリア内に添付情報表示エリアが設けられる。
【００４７】
このメール閲覧制御部１０４は、添付情報表示部１０５及びメール本文表示部１０６からなる。添付情報表示部１０５は、表示順序決定部１０２により決定された表示順序に基づいて、２以上の添付ファイル２２ｂの識別情報を閲覧画面の添付情報表示エリアに表示する。２以上の添付ファイル２２ｂについて、識別情報として指定されている添付ファイル名を添付情報表示エリア内に表示する場合には、非インラインファイルがインラインファイルよりも優先して表示される。
【００４８】
具体的には、添付ファイルリスト記憶部１０３内に保持されている添付ファイルリストが添付情報表示エリア内に表示される。その際、添付ファイルリストの文字数が添付情報表示エリア内に表示可能な文字数Ｎ１を超えていれば、添付ファイルリストの先頭から文字数Ｎ１分の添付ファイル名が表示される。メール本文表示部１０６は、メモリ１５０から読み出したメール本文データ２２ａ及び添付ファイル２２ｂに基づいて、メール本文中にインラインファイルの画像データを挿入し、閲覧画面の本文表示エリアに表示する。
【００４９】
＜受信メールの閲覧画面３＞
図７は、図２のメール表示装置１における受信メールの閲覧時の動作の一例を従来例と比較して示した図であり、全ての添付ファイル２２ｂについて、添付ファイル名が表示されている場合が示されている。図中の（ａ）には、本発明によるメール表示装置１の場合が示され、（ｂ）には、従来のメール表示装置の場合が示されている。
【００５０】
この閲覧画面３は、受信メールの閲覧画面であり、添付情報表示エリア３３を含むヘッダー情報表示エリア３１と、メール本文データ２２ａを表示するための本文表示エリア３２とからなる。
【００５１】
ヘッダー情報表示エリア３１には、受信メールのヘッダー情報が表示されている。具体的には、メールヘッダー２１内の情報がヘッダー情報表示エリア３１内に表示される。例えば、受信メールの受信日時、送信者名、宛先名、件名が表示される。添付情報表示エリア３３には、添付ファイル２２ｂの識別情報からなる添付ファイルリストが表示される。
【００５２】
本文表示エリア３２には、メール本文中にインラインファイルの画像データが挿入されたメール本文データ２２ａが表示されている。インラインファイルの画像データは、例えば、一定のピクセル数からなる絵文字である。この例では、添付ファイル名「ｈａｒｅ．ｇｉｆ」、「ｋａｓａ．ｇｉｆ」及び「ｏｕｔｉ．ｇｉｆ」の３つのインラインファイルと、添付ファイル名「ｓｈａｓｉｎ．ｊｐｇ」の１つの非インラインファイルとがメール本文データ２２ａに添付ファイル２２ｂとして付加されている。
【００５３】
従来のメール表示装置では、複数の添付ファイル２２ｂについて、その識別情報を添付情報表示エリア３３に表示する場合、受信メールの作成者が添付ファイル２２ｂとして指定した順序を表示順序として表示される。例えば、３つの添付ファイル「ｈａｒｅ．ｇｉｆ」、「ｋａｓａ．ｇｉｆ」及び「ｏｕｔｉ．ｇｉｆ」をインラインファイルに指定してメール本文を作成した後に、１つの添付ファイル「ｓｈａｓｉｎ．ｊｐｇ」を非インラインファイルに指定して受信メールを完成させた場合、表示順序は、「ｈａｒｅ．ｇｉｆ」、「ｋａｓａ．ｇｉｆ」、「ｏｕｔｉ．ｇｉｆ」、「ｓｈａｓｉｎ．ｊｐｇ」の順になる。
【００５４】
従来のメール表示装置の閲覧画面３では、「ｈａｒｅ．ｇｉｆ」、「ｋａｓａ．ｇｉｆ」、「ｏｕｔｉ．ｇｉｆ」、「ｓｈａｓｉｎ．ｊｐｇ」の順で添付ファイル２２ｂの添付ファイル名が表示されている。
【００５５】
一方、本発明によるメール表示装置１では、非インラインファイルがインラインファイルよりも優先して表示され、「ｓｈａｓｉｎ．ｊｐｇ」、「ｈａｒｅ．ｇｉｆ」、「ｋａｓａ．ｇｉｆ」、「ｏｕｔｉ．ｇｉｆ」の順で添付ファイル２２ｂの添付ファイル名が表示されている。
【００５６】
この様に、全ての添付ファイル２２ｂについて、添付ファイル名を添付情報表示エリア３３内に表示することが可能である場合においても、非インラインファイルの添付ファイル名を添付ファイル名の先頭に表示することにより、非インラインファイルが付加されていることに気付き易くすることができる。
【００５７】
図８は、図２のメール表示装置１における受信メールの閲覧時の動作の一例を従来例と比較して示した図であり、添付情報表示エリア３３が狭いために、表示しきれない添付ファイル名がある場合が示されている。図中の（ａ）には、本発明によるメール表示装置１の場合が示され、（ｂ）には、従来のメール表示装置の場合が示されている。
【００５８】
従来のメール表示装置の閲覧画面３では、非インラインファイルの添付ファイル名「ｓｈａｓｉｎ．ｊｐｇ」が添付情報表示エリア３３内に表示されず、非インラインファイルが添付されていることに気付き難かった。この例では、添付ファイル名「ｈａｒｅ．ｇｉｆ」及び「ｋａｓａ．ｇｉｆ」だけが添付情報表示エリア３３に表示されている。
【００５９】
これに対し、本発明によるメール表示装置１では、非インラインファイルがインラインファイルよりも優先して表示される。このため、インラインファイル又は非インラインファイルのいずれか一方の添付ファイル名が添付情報表示エリア３３内に表示しきれない場合には、非インラインファイルの添付ファイル名を表示させることができる。
【００６０】
例えば、表示順序は、「ｓｈａｓｉｎ．ｊｐｇ」、「ｈａｒｅ．ｇｉｆ」、「ｋａｓａ．ｇｉｆ」、「ｏｕｔｉ．ｇｉｆ」の順であり、添付情報表示エリア３３には、添付ファイル名「ｓｈａｓｉｎ．ｊｐｇ」及び「ｈａｒｅ．ｇｉｆ」が表示されている。従って、インラインファイル及び非インラインファイルがメール本文データ２２ａに添付されている場合であっても、非インラインファイルが添付されていることを容易に識別することができる。
【００６１】
なお、２以上のインラインファイルが付加されている場合、インラインファイル間の表示順序は、任意である。例えば、メール作成者により添付ファイル２２ｂとして指定された順序が表示順序として採用される。また、２以上の非インラインファイルが付加されている場合の非インラインファイル間の表示順序についても、インラインファイルの場合と同様である。
【００６２】
また、添付ファイル名をスクロールさせ、或いは、添付情報表示エリア３３を拡大し、或いは、タップ操作によって添付ファイル２２ｂの選択画面を表示させることにより、添付情報表示エリア３３内に表示しきれなかった添付ファイル名を表示させることができる。また、添付ファイル２２ｂの選択画面には、添付ファイルリストが表示され、添付ファイル２２ｂのいずれか一つを閲覧対象として選択すれば、当該添付ファイルの内容を閲覧画面上に表示することができる。
【００６３】
図９のステップＳ１０１〜Ｓ１１０は、図２のメール表示装置１におけるメール閲覧時の動作の一例を示したフローチャートである。まず、主制御部１００は、添付ファイルリストを初期化し、メモリ１５０からメールデータを読み込む（ステップＳ１０１，Ｓ１０２）。主制御部１００は、電子メール２の先頭行から順に処理し、メール本文中にインラインファイルの画像データを挿入して閲覧画面３を生成する。
【００６４】
その際、主制御部１００は、読み込んだメールデータが添付ファイル２２ｂのエンティティヘッダー２２１における属性フィールド内のパラメータであれば、属性コードと比較する（ステップＳ１０３〜Ｓ１０５）。このとき、主制御部１００は、属性フィールド内のパラメータが属性コードと一致すれば、当該添付ファイル２２ｂは、インラインファイルであると判断し、インラインファイルリストに添付ファイル名を追加する（ステップＳ１０６，Ｓ１０７）。
【００６５】
一方、主制御部１００は、属性フィールド内のパラメータが属性コードと一致しなかった場合、当該添付ファイル２２ｂは、非インラインファイルであると判断し、非インラインファイルリストに添付ファイル名を追加する（ステップＳ１０６，Ｓ１０８）。主制御部１００は、読み込んだメールデータが属性フィールドに該当するごとに、ステップＳ１０５からステップＳ１０８までの処理手順を繰り返す。
【００６６】
また、主制御部１００は、読み込んだメールデータが終端コード２４と一致すれば、インラインファイルリスト及び非インラインファイルリストから添付ファイルリストを生成し、閲覧画面３の添付情報表示エリア３３内に表示してこの処理を終了する（ステップＳ１０３，Ｓ１０９，Ｓ１１０）。
【００６７】
本実施の形態によれば、２以上の添付ファイル２２ｂの添付ファイル名を表示する場合に、非インラインファイルがインラインファイルよりも優先して表示されるので、インラインファイル又は非インラインファイルのいずれか一方の添付ファイル名が表示しきれない場合には、非インラインファイルの添付ファイル名を表示させることができる。従って、インラインファイル及び非インラインファイルがメール本文データ２２ａに添付されている場合に、非インラインファイルが添付されていることを容易に識別することができる。
【００６８】
なお、本実施の形態では、メール表示装置１が携帯電話機である場合の例について説明したが、本発明は、タブレット端末、ＰＤＡ（Personal Digital Assistant）などの携帯可能な電子機器に適用することができる。
【００６９】
本発明の実施の形態によるメール表示装置１の構成と対応する作用効果とを以下に整理してまとめる。
第１の本発明によるメール表示装置１は、メール本文データ２２ａ及び２以上の添付ファイル２２ｂからなる電子メール２を記憶するメモリ１５０と、添付ファイル２２ｂが、メール本文データ２２ａの表示時にメール本文中に挿入される画像データからなるインラインファイルであるか否かを判別するインラインファイル判別部１０１と、インラインファイル判別部１０１の判別結果に基づいて、２以上の添付ファイル２２ｂの表示順序を決定する表示順序決定部１０２と、表示順序に基づいて、２以上の添付ファイル２２ｂの識別情報を表示する添付情報表示部１０５とを備え、２以上の添付ファイル２２ｂの識別情報を表示する場合に、非インラインファイルがインラインファイルよりも優先して表示されるように構成される。
【００７０】
この様な構成によれば、２以上の添付ファイル２２ｂの識別情報を表示する場合に、非インラインファイルがインラインファイルよりも優先して表示されるので、インラインファイル又は非インラインファイルのいずれか一方の識別情報が表示しきれない場合には、非インラインファイルの識別情報を表示させることができる。
【００７１】
第２の本発明によるメール表示装置１は、上記構成に加え、表示順序決定部１０２が、全ての非インラインファイルが、いずれのインラインファイルよりも優先して表示されるように、添付ファイル２２ｂの表示順序を決定するように構成される。
【００７２】
この様な構成によれば、インラインファイルの識別情報が表示されているにもかかわらず、識別情報が表示されない非インラインファイルが存在するという事態が生じるのを防止することができる。
【００７３】
第３の本発明によるメール表示装置１は、上記構成に加え、インラインファイル判別部１０１が、添付ファイル２２ｂのヘッダ情報に基づいて、当該添付ファイルがインラインファイルであるか否かを判別するように構成される。この様な構成によれば、添付ファイル２２ｂのエンティティ本体２２２の内容を解析して判別する場合に比べ、インラインファイルの判別処理を容易化することができる。
【００７４】
第４の本発明によるメール表示装置１は、上記構成に加え、本文表示エリア３２及び添付情報表示エリア３を含む閲覧画面３を有するタッチパネル１２と、メール本文中にインラインファイルの画像データを挿入し、本文表示エリア３２に表示するメール本文表示部１０６とを備え、添付情報表示部１０５が、添付ファイル２２ｂの識別情報を添付情報表示エリア３３に表示するように構成される。
【００７５】
この様な構成によれば、閲覧画面３の添付情報表示エリア３３内に同時に表示することができる文字の数が限られている場合に、非インラインファイルがメール本文データ２２ａに添付されていることに気付き易くすることができる。
【符号の説明】
【００７６】
１  メール表示装置
１０  薄型筐体
１１  受話用のスピーカ
１２  タッチパネル
１３  送話用のマイクロホン
１４ａ〜１４ｃ  操作キー
１００  主制御部
１１０  セルラー通信部
１２０  操作部
１３０  表示制御部
１４０  音声処理部
１５０  メモリ
１０１  インラインファイル判別部
１０２  表示順序決定部
１０３  添付ファイルリスト記憶部
１０４  メール閲覧制御部
１０５  添付情報表示部
１０６  メール本文表示部
２  電子メール
２１  メールヘッダー
２２  メッセージ本体
２２ａ  メール本文データ
２２ｂ  添付ファイル
２２１  エンティティヘッダー
２２２  エンティティ本体
２２３  空白行
２３  境界コード
２４  終端コード
３  閲覧画面
３１  ヘッダー情報表示エリア
３２  本文表示エリア
３３  添付情報表示エリア
【図１】
2015045907.tif 000003
【図２】
2015045907.tif 000004
【図３】
2015045907.tif 000005
【図４】
2015045907.tif 000006
【図５】
2015045907.tif 000007
【図６】
2015045907.tif 000008
【図７】
2015045907.tif 000009
【図８】
2015045907.tif 000010
【図９】
2015045907.tif 000011